(57)【要約】【課題】不用意にフォーカスリングの切換操作が行われないように工夫した移動切換機構を備えたレンズ鏡筒を提供する。【解決手段】光軸方向に第１移動位置と第２移動位置とに移動可能であると共に光軸回りに回転可能に配置され、光軸方向の移動操作又は光軸回りの回転操作の少なくとも一方の操作に応じてレンズ保持枠４２を光軸方向に移動させるための駆動力を発生させる第１操作環１２と、第１操作環が第１又は第２移動位置のいずれか一方に位置している際に第１回転位置と第２回転位置とに回転操作可能な第２操作環２２と、第１操作環の光軸方向の移動に連動して第１操作環と共に光軸方向に移動し、第２操作環が第１回転位置に回転した際には第２操作環と協同して第１操作環が光軸方向への移動を阻止し、第２操作環が第２回転位置に回転した際には第１操作環が第１又は第２移動位置への光軸方向の移動を許容する制御環２１とを具備した。【選択図】図１
2020071315.tif 000002
【特許請求の範囲】
【請求項１】
光軸に沿って第１移動位置と第２移動位置とに移動可能であると共に光軸回りに回転可能に配置され、上記光軸方向の移動操作又は上記光軸回りの回転操作の少なくとも一方の操作に応じてレンズ保持枠を光軸方向に移動させるための駆動力を発生させる第１操作環と、
上記第１操作環が上記第１移動位置または上記第２移動位置のいずれか一方に位置している際に、第１回転位置と第２回転位置とに回転操作可能な第２操作環と、
上記第１操作環の上記光軸方向の移動に連動して当該第１操作環と共に光軸方向に移動すると共に、上記第２操作環が上記第１回転位置に回転した際には上記第２操作環と協同して上記第１操作環が光軸方向に移動するのを阻止し、上記第２操作環が上記第２回転位置に回転した際には上記第１操作環が上記第１移動位置または上記第２移動位置へ光軸方向に移動することを許容する制御環と、
を具備したことを特徴とするレンズ鏡筒。
【請求項２】
上記第２操作環と上記制御環とによって上記第１操作環の光軸方向への移動の可否を切り換える移動切換部が構成され、
上記移動切換部は、上記第２操作環と上記制御環とが光軸方向において接触することによって上記第１操作環の光軸方向への移動を阻止し、
上記第１操作環が光軸方向への移動を阻止されていないときには上記第２操作環と上記制御環とが相対的に光軸方向に移動可能に構成されていることを特徴とする請求項１記載のレンズ鏡筒。
【請求項３】
上記移動切換部は、
上記制御環の内周面から光軸方向に突出する第１突出部と、
上記第２操作環に形成された回転操作部と、上記回転操作部から光軸方向に延出する延出部と、上記延出部の先端から径方向に向かって離間するように突出する第２突出部と、
を含み、
上記第２操作環が上記第１回転位置に回転した際には上記第２突出部が上記制御環の上記第１突出部と光軸方向において互いに対向し当接することにより上記制御環が光軸方向に移動するのを阻止し、
上記第２操作環が上記第２回転位置に回転した際には上記第２突出部が上記制御環の上記内周面に対応する位置を通過して上記制御環が光軸方向へ移動するのを許容することを特徴とする請求項２記載のレンズ鏡筒。
【請求項４】
上記第２操作環が上記第１回転位置に位置した際には上記制御環と共に移動する上記第１操作環の光軸方向への移動も阻止され、上記第２操作環が上記第２回転位置に位置した際には上記制御環と共に移動する上記第１操作環の光軸方向への移動が許容されることを特徴とする請求項３記載のレンズ鏡筒。
【請求項５】
上記第１操作環が上記第１移動位置に位置し、かつ、上記第２操作環が上記第１回転位置に回転した場合には、上記制御環に形成された上記第１の突出部は、上記第２操作環に形成された上記第２の突出部の第１の面に対向して位置し、
上記第１操作環が上記第２移動位置に位置し、かつ、上記第２操作環が上記第１回転位置に回転した場合には、上記制御環に形成された上記第１の突出部は、上記第２操作環に形成された上記第２の突出部の第２の面に対向して位置することを特徴とする請求項３記載のレンズ鏡筒。
【請求項６】
上記第１操作環の上記第１移動位置への移動に連動して移動する第１移動制御部材と、
上記第１操作環の上記第２移動位置への移動に連動して移動する第２移動制御部材と、を更に有し、
上記制御環は、
上記第１移動制御部材と上記第２移動制御部材とに挟まれて位置し、
上記第１移動制御部材または上記第２移動制御部材の移動に連動して上記第１操作環と共に光軸方向に移動することを特徴とする請求項１記載のレンズ鏡筒。
【発明の詳細な説明】
【技術分野】
【０００１】
この発明は、マニュアルフォーカスクラッチ機構を備えたレンズ鏡筒に関するものである。
【背景技術】
【０００２】
従来、撮像光学系により結像された光学像を、撮像素子等を用いて光電変換することにより画像データを取得するように構成されたデジタルカメラ等の撮像装置が実用化され広く普及している。
【０００３】
この種の撮像装置に用いられるレンズ鏡筒においては、オートフォーカス（ＡＦ）動作とマニュアルフォーカス（ＭＦ）動作との切り換えを、撮像装置側の設定メニューとは別に行ない得るように構成したものが、例えば特許５４１２４７１号公報等によって種々提案されている。
【０００４】
上記特許５４１２４７１号公報等によって開示されているレンズ鏡筒は、焦点調節用操作部材（フォーカスリング）を、光軸に沿う方向における所定の範囲内で摺動自在に構成し、例えば当該フォーカスリングを前端側の第１の位置に配置した時には通常のオートフォーカス（ＡＦ）制御を行う動作モードで作用する一方、当該フォーカスリングを後端側の第２の位置に配置すると、設定メニュー操作を行うことなく瞬時にマニュアルフォーカスモードに切り換わるように構成した、いわゆるマニュアルフォーカスクラッチ機構を搭載したレンズ鏡筒が開示されている。
【０００５】
一方、従来のレンズ鏡筒においては、携帯して持ち運んでいるときなど、レンズ鏡筒や撮像装置の不使用時にはレンズ鏡筒の全長を、通常の撮影使用時よりも短縮させた形態とすることができるように構成された、いわゆる沈胴式のレンズ鏡筒が、例えば特開２０１０−２８６７８９号公報等によって、種々提案され、また実用化されている。
【０００６】
上記特開２０１０−２８６７８９号公報等によって開示されている沈胴式レンズ鏡筒においては、撮影領域内と沈胴領域内では回動操作によって撮影レンズを移動させ、撮影領域の端部のうち沈胴領域側の端部においては光軸方向への直進操作が可能なズーム環と、ズーム環の撮影領域から沈胴領域方向への切り換わりを規制するロック部材とを設け、ロック部材は、撮影領域の端部のうち沈胴領域側の端部にズーム環が位置したとき、ズーム環に対する沈胴領域側への回動操作を禁止して撮影状態を維持し、当該端部にあるズーム環に対する直進操作を行うとズーム環の沈胴領域側への回動操作の禁止を解除して沈胴状態への切り替わりを許容するように構成されている。
【０００７】
このような構成により、上記特開２０１０−２８６７８９号公報等によって開示されている沈胴式レンズ鏡筒においては、撮影状態から沈胴状態への意図しない切り換わり操作を防止している。
【先行技術文献】
【特許文献】
【０００８】
【特許文献１】特許５４１２４７１号公報
【特許文献２】特開２０１０−２８６７８９号公報
【発明の概要】
【発明が解決しようとする課題】
【０００９】
ところが、上記特許５４１２４７１号公報等によって開示されているレンズ鏡筒の構成は、フォーカスリングの光軸に沿う方向への摺動操作のみで、マニュアルフォーカス動作モードへと簡単に切り換わる構成となっている。したがって、当該レンズ鏡筒を装着した撮像装置を使用する際の状況によっては、例えば使用者（ユーザ）の意図しないときにフォーカスリングが移動してしまうことがある。そのような場合、使用者が当該撮像装置の使用を開始した時に、当該使用者が想定しない動作が行われてしまう（使用者の想定通りに動かない）ことになり、当該使用者は当該撮像装置が故障した等の勘違いをしてしまう可能性がある。
【００１０】
具体的には、例えば、当該レンズ鏡筒を装着した撮像装置を、使用者が鞄等に入れて持ち運ぶような場合がある。この場合、使用者（ユーザ）は当該撮像装置を使用する時に、当該撮像装置を鞄から取り出す。
【００１１】
このような状況下においては、例えば、運搬中の鞄の中で当該撮像装置が動くことで、使用者の意志に反してフォーカスリングが動いてしまう可能性がある。また、使用者が当該撮像装置を使用するのに際して鞄の中から当該撮像装置を取り出すときに、鞄の一部に触れる等により使用者の意志に反してフォーカスリングが動いてしまう可能性がある。
【００１２】
このように、フォーカスリングが使用者の意志に反して動いてしまったとき、使用者が、そのことに気が付かなければ、当該撮像装置の動作は、使用者の意図に反したものになる。特に、使用者がオートフォーカス動作モードでの使用を行おうとしているときに、フォーカスリングが後端側へと移動してマニュアルフォーカス動作モードに切り換わっていると、撮像装置は一見動作していないように見えることがあるので問題である。そこで、使用者（ユーザ）の意図に反してフォーカスリングの光軸に沿う方向への移動を防止するための工夫が望まれている。
【００１３】
一方、上記特開２０１０−２８６７８９号公報等によって開示されている沈胴式レンズ鏡筒は、上述したように、撮影状態から沈胴状態への意図しない切り換わり操作を防止するものである。つまり、当該公報等に開示されている構成では、レンズ鏡筒を撮影状態として使用中に、意図せずに、不使用状態である沈胴状態に切り換わることを防止する構成である。
【００１４】
しかしながら、上記特許５４１２４７１号公報等によって開示されているレンズ鏡筒のように、マニュアルフォーカスクラッチ機構を搭載したレンズ鏡筒では、その使用者は、撮影状態として使用中には、任意のタイミングで、いつでも切り換え操作を行うことがある。そのような場合にも、切換操作の前後では撮影状態が常に維持されている必要がある。
【００１５】
本発明は、上述した点に鑑みてなされたものであって、その目的とするところは、マニュアルフォーカスクラッチ機構を備えたレンズ鏡筒において、不用意に切換操作が行われないように、充分な強度を有し、かつ簡単にロック操作及びロック解除操作を行ない得る移動切換機構を備えたレンズ鏡筒を提供することである。
【課題を解決するための手段】
【００１６】
上記目的を達成するために、本発明の一態様のレンズ鏡筒は、光軸に沿って第１移動位置と第２移動位置とに移動可能であると共に光軸回りに回転可能に配置され、上記光軸方向の移動操作又は上記光軸回りの回転操作の少なくとも一方の操作に応じてレンズ枠を光軸方向に移動させるための駆動力を発生させる第１操作環と、上記第１操作環が上記第１移動位置または上記第２移動位置のいずれか一方に位置している際に、第１回転位置と第２回転位置とに回転操作可能な第２操作環と、上記第１操作環の上記光軸方向の移動に連動して当該第１操作環と共に光軸方向に移動すると共に、上記第２操作環が上記第１回転位置に回転した際には上記第２操作環と協同して上記第１操作環が光軸方向に移動するのを阻止し、上記第２操作環が上記第２回転位置に回転した際には上記第１操作環が上記第１移動位置または上記第２移動位置へ光軸方向に移動することを許容する制御環とを具備した。
【発明の効果】
【００１７】
本発明によれば、マニュアルフォーカスクラッチ機構を備えたレンズ鏡筒において、不用意に切換操作が行われないように、充分な強度を有し、かつ簡単にロック操作及びロック解除操作を行ない得る移動切換機構を備えたレンズ鏡筒を提供することができる。
【図面の簡単な説明】
【００１８】
【図１】本発明の一実施形態のレンズ鏡筒の外観を示す外観図
【図２】図１のレンズ鏡筒について光軸に沿って切断した切断面を示す縦断面図
【図３】図１のレンズ鏡筒の分解斜視図（前半部）
【図４】図１のレンズ鏡筒の分解斜視図（後半部）
【図５】図１のレンズ鏡筒においてフォーカスリング（第１操作環）の移動切換機構の構成部材を取り出して示す要部分解斜視図
【図６】図５の移動切換機構の構成部材のうち固定リング操作環（第２操作環）の三面図
【図７】図５の移動切換機構の構成部材のうち固定リング（制御環）の三面図
【図８】本発明の一実施形態のレンズ鏡筒における移動切換機構の第１状態を示す要部拡大断面図
【図９】図８の状態の移動切換機構の主要部の一部を切断し拡大して示す要部拡大斜視図
【図１０】図８の状態の移動切換機構の主要部の一部を切断し拡大して示す要部拡大斜視図
【図１１】本発明の一実施形態のレンズ鏡筒における移動切換機構の第２状態を示す要部拡大断面図
【図１２】図１１の状態の移動切換機構の主要部の一部を切断し拡大して示す要部拡大斜視図
【図１３】図１１の状態の移動切換機構の主要部の一部を切断し拡大して示す要部拡大斜視図
【図１４】本発明の一実施形態のレンズ鏡筒における移動切換機構の第３状態を示す要部拡大断面図
【図１５】図１４の状態の移動切換機構の主要部の一部を切断し拡大して示す要部拡大斜視図
【図１６】図１４の状態の移動切換機構の主要部の一部を切断し拡大して示す要部拡大斜視図
【図１７】本発明の一実施形態のレンズ鏡筒における移動切換機構の第４状態を示す要部拡大断面図
【図１８】図１７の状態の移動切換機構の主要部の一部を切断し拡大して示す要部拡大斜視図
【図１９】図１７の状態の移動切換機構の主要部の一部を切断し拡大して示す要部拡大斜視図
【発明を実施するための形態】
【００１９】
以下、図示の実施の形態によって本発明を説明する。以下の説明に用いる各図面は模式的に示すものであり、各構成要素を図面上で認識できる程度の大きさで示すために、各部材の寸法関係や縮尺等を構成要素毎に異ならせて示している場合がある。したがって、本発明は、各図面に記載された各構成要素の数量や各構成要素の形状や各構成要素の大きさの比率や各構成要素の相対的な位置関係等に関して、図示の形態のみに限定されるものではない。
【００２０】
本発明の一実施形態は、例えば撮像光学系により結像された光学像を、例えばＣＣＤ（Charge Coupled Device；電荷結合素子）イメージセンサーやＣＭＯＳ（Complementary Metal Oxide Semiconductor；相補性金属酸化膜半導体）型イメージセンサー等の光電変換素子等（以下、撮像素子という）を用いて順次光電変換し、これにより得られた画像信号を所定の形態の画像データ（例えば静止画像又は動画像を表わすデジタル画像データ）として記憶媒体に記録すると共に、この記憶媒体に記録されたデジタル画像データに基いて静止画像又は動画像を再生表示する画像表示装置、例えば液晶表示ディスプレイ（Liquid Crystal Display；ＬＣＤ）や有機エレクトロルミネッセンス（有機ＥＬ；Organic Electro-Luminescence：ＯＥＬ）ディスプレイ等を備えて構成された撮像装置、例えばデジタルカメラやビデオカメラ等に適用されるレンズ鏡筒を例示するものである。
【００２１】
以下に説明する一実施形態のレンズ鏡筒は、撮像装置本体に対してレンズ鏡筒が着脱自在に構成される形態の、いわゆるレンズ交換式撮像装置において使用される交換式のレンズ鏡筒として例示している。しかしながら、本発明を適用し得るレンズ鏡筒の形態としては、この種の交換式のレンズ鏡筒に限られることはない。例えば、撮像装置本体とレンズ鏡筒とが一体に固設されて構成される形態の、いわゆるレンズ一体式撮像装置に用いられるレンズ鏡筒に対しても、全く同様に適用することができる。
【００２２】
また、以下の一実施形態において、レンズ鏡筒における撮像光学系の光軸を符号Ｏで表すものとする。この光軸Ｏに沿う方向において、レンズ鏡筒の前面に対向する側（即ち被写体のある側）を前方というものとする。また、レンズ鏡筒の前方に対して光軸方向に沿って反対側であって、当該レンズ鏡筒が撮像装置本体に連結される側（即ちレンズマウントリングのある側）を後方というものとする。そして、レンズ鏡筒の後方に、撮像素子を収納した撮像装置本体が配設される構成となっているものとする。
【００２３】
したがって、このような構成により、レンズ鏡筒の前方から被写体の反射光（以下、被写体光という）がレンズ鏡筒内の撮像光学系へと入射する。レンズ鏡筒の前方から入射した当該被写体光は、当該レンズ鏡筒における撮像光学系を透過して光軸に沿う方向に進行する。その際、当該撮像光学系は、被写体の光学像（以下、被写体像という）を形成する。そして、その被写体像は、当該レンズ鏡筒の後方に配置される撮像素子の受光面上に結像する。
【００２４】
［一実施形態］
図１〜図７は、本発明の一実施形態を示す図である。このうち、図１は本実施形態のレンズ鏡筒の外観を示す外観図である。図２は図１のレンズ鏡筒について光軸に沿って切断した切断面を示す縦断面図である。図３，図４は、図１のレンズ鏡筒の分解斜視図である。このうち図３はレンズ鏡筒の前半部の分解斜視図である。図４はレンズ鏡筒の後半部の分解斜視図である。図５は図１のレンズ鏡筒におけるフォーカスリング（第１操作環）の移動切換機構の構成部材を取り出して示す要部分解斜視図である。図６は図５の移動切換機構の構成部材のうち固定リング操作環（第２操作環）の三面図である。なお、図６において符号［２２Ａ］は平面図である。また図６において符号［２２Ｂ］［２２Ｃ］はそれぞれ側面図である。図７は図５の移動切換機構の構成部材のうち固定リング（制御環）の三面図である。なお、図７において符号［２１Ａ］は平面図である。また図７において符号［２１Ｂ］［２１Ｃ］はそれぞれ側面図である。
【００２５】
まず、本発明の一実施形態のレンズ鏡筒の概略構成を、図１〜図４を用いて以下に説明する。
【００２６】
本実施形態のレンズ鏡筒１は、第１外装筒１１（前側）と、第１操作環であるフォーカスリング１２と、第１固定筒１３と、距離表示リング１４と、摺動環１５と、ＰＩ遮光枠１６と、中間環１７と、第１オサエ環１８と、第２オサエ環１９と、移動切換機構２０（移動切換部）と、第２固定筒２３と、第３固定筒２４と、第２外装筒２５（後側）と、レンズマウントリング２６と、三脚座２７と、三脚座支持リング２８と、レンズフード２９と、撮像光学系を構成する複数の光学レンズ群（３１〜３７）及び複数のレンズ保持枠（４１〜４４，２４）等によって主に構成されている。
【００２７】
第１外装筒１１は、本レンズ鏡筒１の前寄り部分の外装部材である。この第１外装筒１１には、レンズフード２９が一体に組み込まれている。レンズフード２９は、当該レンズ鏡筒１の撮像範囲外から入射してくる光線を遮断するためのアクセサリである。
【００２８】
フォーカスリング１２は、焦点調節操作を使用者（ユーザ）が手動にて行う際に用いる操作部材であり、本レンズ鏡筒１における第１操作環である。そのために、当該フォーカスリング１２は、その外面が当該レンズ鏡筒１の最外周面側に露呈して配置されている。
【００２９】
フォーカスリング１２は、撮像光学系を構成する複数の光学レンズ群（後述；図２の符号３１〜３７参照）のうちの所定のフォーカスレンズ群（本例では図２の符号３４）を保持する所定のレンズ保持枠（本例のレンズ鏡筒１では図２の符号４２）を、光軸Ｏ周りの回転操作に応じて光軸Ｏに沿う方向へと進退移動させるための駆動力を発生させる操作部材である。
【００３０】
また、フォーカスリング１２は、光軸方向の移動に応じて（例えば、後述する第１移動位置から第２移動位置へと移動するときなど）、所定のレンズ保持枠（符号４２）を光軸方向に移動させる駆動力を発生させる。
【００３１】
フォーカスリング１２は、略円環形状に形成され、当該レンズ鏡筒１の撮像光学系の光軸Ｏに沿う方向において第１移動位置と第２移動位置との間の所定の範囲内でスライド移動自在に構成されていると共に、同光軸Ｏ回りに回転自在となるように構成されている。
【００３２】
詳述すると、フォーカスリング１２は、光軸Ｏに沿う方向（図１の矢印Ｘ方向）において被写体側（前方）の第１移動位置と、同光軸Ｏに沿う方向においてレンズマウントリング側（後方）の第２移動位置との間でスライド移動し得るように配設されている。
【００３３】
この場合において、フォーカスリング１２が第１移動位置にあるときには（後述の図８，図１１参照）、第１オサエ環１８の係止部１８ａ（移動部）と、中間環１７の係止部１７ａ（固定部）とが光軸Ｏに沿う方向において当接することで、フォーカスリング１２が第１移動位置よりも前方へとスライド移動するのを規制している。
【００３４】
また、フォーカスリング１２が第２移動位置にあるときには（後述の図１４，図１７参照）、フォーカスリング１２の先端部に設けられる係止部１２ａ（移動部）と、第１外装筒１１の係止部１１ａ（固定部）とが光軸Ｏに沿う方向において当接することで、フォーカスリング１２が第２移動位置よりも後方へとスライド移動するのを規制している。
【００３５】
フォーカスリング１２が第１移動位置にあるときに、使用者（ユーザ）による回転操作がなされると、撮像装置本体（不図示）側のフォーカス制御設定に応じた所定の作用がなされる。例えば、撮像装置本体（不図示）側のフォーカス制御設定が「ＡＦ＋ＭＦ」設定のときには、シャッターボタン（不図示）の半押し操作又はＡＦボタン押し操作によってオートフォーカス動作を実行した後に、フォーカスリング１２を回転操作すると、マニュアルフォーカス動作を行うことができる。また、撮像装置本体（不図示）側のフォーカス制御設定が「ＭＦ」設定のときには、いつでもフォーカスリング１２を回転操作することによりマニュアルフォーカス動作を行うことができる。なお、フォーカスリング１２が第１移動位置にあるときのフォーカスリング１２の回転範囲に規制はなく、際限なく正逆方向に回転操作することができる。
【００３６】
一方、フォーカスリング１２が第２移動位置にあるときには、撮像装置本体（不図示）側のフォーカス制御設定に関わらず、使用者（ユーザ）による回転操作がなされると、常にマニュアルフォーカス動作が行われる。この場合（フォーカスリング１２が第２移動位置にあるとき）におけるフォーカスリング１２の回転は、所定の回転範囲内で正逆方向に回転するように規制されている。この場合における回転範囲は、後述する距離表示リング１４に表示される最短撮像距離位置から無限遠位置までの間となる。
【００３７】
また、フォーカスリング１２が、使用者（ユーザ）によって、第１の移動位置から第２の移動位置へとスライド移動されたときには、フォーカスレンズ群３４を保持するレンズ保持枠４２は、そのとき距離表示リング１４によって設定されている距離設定値（前回、フォーカスリング１２を第２移動位置で使用したときの距離表示リング１４の距離設定値）に対応するフォーカス位置へと、光軸方向に駆動される。
【００３８】
なお、フォーカスリング１２の光軸方向のスライド移動によるレンズ保持枠４２の光軸方向へ移動させる駆動制御は、フォーカスリング１２の第２の移動位置から第１の移動位置へのスライド移動するときにも、同様に、行うように構成してもよい。また、このような駆動制御は、フォーカスリング１２の第１の移動位置から第２の移動位置への移動時のみとしてもよいし、フォーカスリング１２の第２の移動位置から第１の移動位置への移動時のみとしてもよい。
【００３９】
このように、本レンズ鏡筒１においては、フォーカスリング１２を第１移動位置と第２移動位置との間でスライド移動させることによって、フォーカスリング１２と所定のレンズ保持枠（４２）との間の動力伝達機構の接続又は遮断を切り換えるマニュアルフォーカスクラッチ機構が具備されている。なお、当該マニュアルフォーカスクラッチ機構自体についての詳細構成は、本発明に直接関連しない部分であるので、その説明は省略する。
【００４０】
第１固定筒１３は、第１外装筒１１と後述するレンズ保持枠４１とを保持する内部固定部材である。
【００４１】
距離表示リング１４は、第１固定筒１３の外周側に固設され、外表面上に撮像距離指標が刻印された略円環状部材である。この距離表示リング１４は、フォーカスリング１２が第１移動位置に配置されているときには、当該フォーカスリング１２によって外面が覆い隠される一方、フォーカスリング１２が第２移動位置に配置されたときには、撮像距離指標が外部に露呈されるように配設されている。
【００４２】
摺動環１５は、第１固定筒１３の外周側に固設される略円環状部材である。この摺動環１５の外周側にはフォーカスリング１２を含む構成ユニット（詳細後述）が配置されている。摺動環１５は、当該フォーカスリング１２を含む構成ユニットの移動（光軸方向へのスライド移動及び光軸回りの回転移動）が円滑かつ自在に行い得るように保持し、フォーカスリング１２の光軸方向に対する傾きを抑止する構成部材である。
【００４３】
ＰＩ遮光枠１６は、内周面上にフォトインタラプタ用スリット１６ａ（図８等参照）が設けられた略円環状部材である。このＰＩ遮光枠１６は、フォーカスリング１２の内周面側に固設されており、当該フォーカスリング１２の回転と共に同方向に同量だけ回転する。
【００４４】
中間環１７は、例えばフォトインタラプタやＡＦ／ＭＦ切換スイッチ等の各種の電気部品（不図示）を搭載した略円環状部材である。この中間環１７は、第１固定筒１３の外周面上に固設されている。
【００４５】
当該中間環１７に載置されたフォトインタラプタ（不図示）と、フォーカスリング１２と共に回転するＰＩ遮光枠１６のスリット１６ａとによって、フォーカスリング１２の回転位置の検出がなされる。
【００４６】
第１オサエ環１８及び第２オサエ環１９は、フォーカスリング１２の内周面上の所定の部位にそれぞれ固設される略円環状部材である。当該第１オサエ環１８及び第２オサエ環１９は、移動切換機構２０の固定リング２１（後述）に対してそれぞれが光軸Ｏに沿う方向に当接することで、当該固定リング２１を同光軸Ｏに沿う方向に移動させるために設けられている。
【００４７】
ここで、第１オサエ環１８は固定リング２１の前方に配置され、第２オサエ環１９は固定リング２１の後方に配置されている。これにより、固定リング２１は、第１オサエ環１８及び第２オサエ環１９によって挟持されている。
【００４８】
なお、第２オサエ環１９は、フォーカスリング１２（第１操作環）の第１移動位置へ向けての移動に連動して移動する第１移動制御部材である。
【００４９】
また、第１オサエ環１８は、フォーカスリング１２（第１操作環）の第２移動位置へ向けての移動に連動して移動する第２移動制御部材である。
【００５０】
そして、固定リング２１（制御環）は、第２オサエ環１９（第１移動制御部材）と第１オサエ環１８（第２移動制御部材）とに挟まれて位置しており、第２オサエ環１９（第１移動制御部材）または第１オサエ環１８（第２移動制御部材）の移動に連動してフォーカスリング１２（第１操作環）と共に光軸Ｏに沿う方向へと移動する。
【００５１】
移動切換機構２０は、フォーカスリング１２（第１操作環）の光軸Ｏに沿う方向への移動の可否（即ち移動の阻止又は許可）を切り換えるための移動切換部である。そのために、移動切換機構２０は、制御環である固定リング２１と、第２操作環である固定リング操作環２２とによって構成されている。なお、移動切換機構２０の詳細構成及び作用については後述する。
【００５２】
第２固定筒２３は、第２外装筒２５を外周側で固定保持すると共に、上記固定リング操作環２２を先端側で回転自在に保持する内部固定部材である。
【００５３】
第３固定筒２４は、第２固定筒２３を外周側で固定保持すると共に、内部に撮像光学系等の各種の構成部材を収納し保持する内部固定部材である。
【００５４】
第２外装筒２５は、本レンズ鏡筒１の後寄り部分の外装部材である。この第２外装筒２５の後端面には、レンズマウントリング２６が取り付けられている。このレンズマウントリング２６は、撮像装置本体（不図示）との連結用部材である。
【００５５】
また、第２外装筒２５の外周面上には、三脚座ユニットが着脱自在に取り付けられている。三脚座ユニットは、当該レンズ鏡筒１を三脚や一脚等に対して取り付けるためのアクセサリである。三脚座ユニットは、三脚座２７と三脚座支持リング２８とによって構成されている。なお、三脚座ユニットについては、本発明に直接関連しない構成部材であるので、図１，図２のみに図示し、その詳細説明は省略する。
【００５６】
また、本レンズ鏡筒１においては、撮像光学系を構成する複数の光学レンズ群（３１〜３７）と、これら複数の光学レンズ群をそれぞれ保持する複数のレンズ保持枠（４１〜４４）及び第３固定筒２４を有して構成されている。本実施形態で例示するレンズ鏡筒１においては、例えば、レンズ群３１，３２，３３はレンズ保持枠４１によって固定保持されている。フォーカスレンズ群３４はレンズ保持枠４２によって固定保持されている。レンズ群３５はレンズ保持枠４３によって固定保持されている。レンズ群３６，３７はレンズ保持枠４４によって固定保持されている。
【００５７】
このうち、レンズ保持枠４２は、所定の駆動機構によって光軸Ｏに沿う方向に移動自在に構成されている。また、図示は省略しているが、当該レンズ保持枠４２とフォーカスリング１２との間には、所定の動力伝達機構が介在している。そして、レンズ保持枠４２とフォーカスリング１２との間の動力伝達機構は、マニュアルフォーカスクラッチ機構によって接続状態と遮断状態とに切り換えることができるように構成されている。
【００５８】
さらに、マニュアルフォーカスクラッチ機構は、移動切換機構２０によって、その作用が許容され、又は阻止され得るように構成されている。
【００５９】
ここで、本実施形態のレンズ鏡筒１における移動切換機構２０の詳細構成について、図５〜図７を用いて以下に説明する。
【００６０】
上述したように、移動切換機構２０は、第１操作環であるフォーカスリング１２の光軸Ｏに沿う方向への移動の可否（即ち移動の阻止又は許可）を切り換えるための移動切換部である。そのために、移動切換機構２０は、固定リング２１（制御環）と固定リング操作環２２（第２操作環）とによって構成されている。
【００６１】
そして、移動切換機構２０は、固定リング操作環２２（第２操作環）と固定リング２１（制御環）とが光軸Ｏに沿う方向において接触することによって、フォーカスリング１２（第１操作環）の光軸Ｏに沿う方向への移動を阻止し、フォーカスリング１２（第１操作環）が光軸Ｏに沿う方向への移動を阻止されていないときには、固定リング操作環２２（第２操作環）と固定リング２１（制御環）とが相対的に光軸Ｏに沿う方向に移動可能に構成されている。
【００６２】
固定リング２１は、フォーカスリング１２の光軸方向へのスライド移動に伴って、当該フォーカスリング１２と同方向に移動する略円環状部材である。固定リング２１は、上述したように、第１オサエ環１８及び第２オサエ環１９によって挟持されていることによりフォーカスリング１２の光軸Ｏに沿う方向へのスライド移動に連動して、当該フォーカスリング１２と共に同じ光軸Ｏに沿う方向へと移動する。
【００６３】
固定リング２１は、固定リング操作環２２（第２操作環）が第１回転位置に回転した際には、固定リング操作環２２（第２操作環）と協同してフォーカスリング１２（第１操作環）が光軸Ｏに沿う方向に移動するのを阻止する。
【００６４】
また、固定リング２１（制御環）は、固定リング操作環２２（第２操作環）が第２回転位置に回転した際には、フォーカスリング１２（第１操作環）が第１移動位置または第２移動位置へ光軸Ｏに沿う方向に移動することを許容する。
【００６５】
そのために、固定リング２１（制御環）は、固定リング本体部２１ａと、第１（の）突出部２１ｂと、回転規制部２１ｃと、通過可能領域２１ｄと、回転規制部２１ｅとを有して形成されている。
【００６６】
固定リング本体部２１ａは、当該固定リング２１の本体部として構成される基本構成部材である。固定リング本体部２１ａは、全体として略円環状に形成されている。
【００６７】
第１突出部２１ｂは、固定リング本体部２１ａの内周面から延出し、光軸Ｏのある方向に向けて突出する板状部位である。この第１突出部２１ｂは、固定リング本体部２１ａの内周面に沿って所定の間隔を置いて複数設けられている。本実施形態においては、第１突出部２１ｂを７つ設けた構成を例示している（図５，図７参照）。
【００６８】
この第１突出部２１ｂは、後述する固定リング操作環２２の第２突出部２２ｂに対して、光軸Ｏに沿う方向において当接することにより、フォーカスリング１２（第１操作環）が第１移動位置または第２移動位置へ光軸Ｏに沿う方向に移動することを阻止する機能を有する（詳細後述）。
【００６９】
回転規制部２１ｃは、固定リング操作環２２の光軸Ｏ回りの回転を、所定の範囲内で規制するための突状部位である。この回転規制部２１ｃは、第１突出部２１ｂの径方向における一端に形成されており、かつ当該第１突出部２１ｂの平面上から光軸Ｏに沿う方向において前後両方向のそれぞれに向けて突出するように形成されている。
【００７０】
通過可能領域２１ｄは、後述する固定リング操作環２２の第２突出部２２ｂを、当該固定リング２１の内面側に沿わせて通過させるための空間領域である。この通過可能領域２１ｄは、隣接する第１突出部２１ｂ同士の間の空間領域を主に指すものとする。即ち、当該通過可能領域２１ｄは、当該固定リング２１の内面において、第１突出部２１ｂ及び回転規制部２１ｅの形成されていない領域を指しているということもできる。
【００７１】
回転規制部２１ｅは、フォーカスリング１２が第１移動位置（前方）から第２移動位置（後方）へと光軸Ｏに沿う方向にスライド移動したときに、当該フォーカスリング１２と共に同方向へと移動する固定リング２１の同方向への移動をガタつくこと無くスムースに行い得るようにガイドすると共に、フォーカスリング１２の回転に伴って固定リング２１が光軸Ｏ周りに回転することを規制するために設けられる構成部である。
【００７２】
そのために、回転規制部２１ｅは、固定リング本体部２１ａの内周面において周方向に所定の間隔を置いて複数形成され、かつ光軸Ｏに沿う方向において前後両方向（スラスト方向）のそれぞれに向けて突出するように形成されている。
【００７３】
一方、固定リング操作環２２（第２操作環）は、光軸Ｏ周りの所定の回転範囲内で回転自在に配設された略円環状部材である。この固定リング操作環２２は、使用者（ユーザ）による手動操作を受けるための操作部材であり、本レンズ鏡筒１における第２操作環である。そのために、当該固定リング操作環２２は、その外面が当該レンズ鏡筒１の最外周面側に露呈して配置されている。
【００７４】
固定リング操作環２２は、フォーカスリング１２（第１操作環）が第１移動位置（前方）または第２移動位置（後方）のいずれか一方に位置している際に、第１回転位置と第２回転位置との間の所定の回転範囲内で光軸Ｏ回りに回転操作自在に構成される操作部材である。
【００７５】
そして、固定リング操作環２２を、第１回転位置と第２回転位置とのいずれか一方に配置させる回転操作を行うことで、本レンズ鏡筒１に具備されるマニュアルフォーカスクラッチ機構の作用が許可され（即ち、フォーカスリング１２の光軸Ｏに沿う方向へのスライド移動が許可され）、又はマニュアルフォーカスクラッチ機構の作用が阻止される（即ち、フォーカスリング１２の光軸Ｏに沿う方向へのスライド移動が阻止される）。
【００７６】
また、固定リング操作環２２を、第１回転位置と第２回転位置とのいずれか他方に配置させる回転操作を行うと、本レンズ鏡筒１に具備されるマニュアルフォーカスクラッチ機構の作用が阻止され（即ち、フォーカスリング１２の光軸Ｏに沿う方向へのスライド移動が阻止され）、又はマニュアルフォーカスクラッチ機構の作用が許可（フォーカスリング１２のスライド移動が許可）される。
【００７７】
なお、フォーカスリング１２は、第１移動位置にあるときにも第２移動位置にあるときにも、いずれの場合にも、光軸Ｏ回りの回転は常に許可されている。
【００７８】
固定リング操作環２２は、回転操作部２２ａと、第２突出部２２ｂと、回転規制部２２ｃと、通過可能領域２２ｄと、平面部２２ｅと、延出部２２ｆとを有して形成されている。
【００７９】
回転操作部２２ａは、当該固定リング操作環２２の本体部であり、また使用者による手動操作を受けるための操作部として構成される基本構成部材である。回転操作部２２ａは、全体として略円環状に形成され、外周面が当該レンズ鏡筒１の最外周面側に露呈して配置されている。
【００８０】
延出部２２ｆは、回転操作部２２ａの一面（平面部２２ｅ）から光軸Ｏに沿う方向に向けて延出する壁状部である。延出部２２ｆは、光軸Ｏ回りの周方向に沿って所定の長さを有して形成されている。そして、この延出部２２ｆは、所定の間隔を置いて複数形成されている。本実施形態においては、延出部２２ｆを３つ設けた構成を例示している（図５，図６参照）。この延出部２２ｆには、上記第２突出部２２ｂ，回転規制部２２ｃが形成されている。
【００８１】
平面部２２ｅは、回転操作部２２ａの一面に形成される光軸に直交する平面部位である。この平面部２２ｅからは、上述したように延出部２２ｆが光軸Ｏに沿う方向に延出している。
【００８２】
第２突出部２２ｂは、延出部２２ｆの先端から当該固定リング操作環２２の径方向に向けて当該延出部２２ｆから離間する方向へと突出するように形成される板状部位である。第２突出部２２ｂは、複数の延出部２２ｆのそれぞれに所定の間隔を置いて複数設けられている。本実施形態においては、第２突出部２２ｂは、全部で７つ設けた構成を例示している（図５，図６参照）。
【００８３】
この第２突出部２２ｂは、上述の固定リング２１の第１突出部２１ｂに対して、光軸Ｏに沿う方向において当接することにより、フォーカスリング１２（第１操作環）が第１移動位置または第２移動位置へ光軸Ｏに沿う方向に移動することを阻止する機能を有する（詳細後述）。
【００８４】
なお、詳細は後述するが、第２突出部２２ｂにおける前方側の面（前面）を、図５，図６に示すように符号２２ｂａで示し、これを第２突出部２２ｂの第１の面２２ｂａというものとする。また、同様に、第２突出部２２ｂにおける後方側の面（後面）を、図５，図６に示すように符号２２ｂｂで示し、これを第２突出部２２ｂの第２の面２２ｂｂというものとする。
【００８５】
回転規制部２２ｃは、固定リング操作環２２の光軸Ｏ回りの回転を、所定の範囲内で規制するための突状部位である。この回転規制部２２ｃは、第２突出部２２ｂの径方向における一端に形成されており、かつ当該第２突出部２２ｂの平面上から光軸Ｏに沿う方向において前後両方向のそれぞれに向けて突出するように形成されている。この場合において、第２突出部２２ｂの平面上から光軸Ｏに沿う方向において後方に向けて突出する部位は、延出部２２ｆの壁面に沿って延出しており、回転操作部２２ａの一面（平面部２２ｅ）まで達するように形成されている。
【００８６】
通過可能領域２２ｄは、固定リング２１の第１突出部２１ｂを、当該固定リング操作環２２の延出部２２ｆの外周面側に沿わせて通過させるための空間領域である。この通過可能領域２２ｄは、隣接する第２突出部２２ｂ同士の間の空間領域を主に指すものとする。即ち、当該通過可能領域２２ｄは、当該固定リング操作環２２の延出部２２ｆの外面において、第２突出部２２ｂの形成されていない領域を指しているということもできる。
【００８７】
このように構成された本実施形態のレンズ鏡筒１において、移動切換機構２０の作用を、図８〜図１９を用いて以下に説明する。図８〜図１９は本実施形態のレンズ鏡筒における移動切換機構の作用を説明する図である。このうち、図８〜図１０は移動切換機構の第１状態を示している。図１１〜図１３は移動切換機構の第２状態を示している。図１４〜図１６は移動切換機構の第３状態を示している。図１７〜図１９は移動切換機構の第４状態を示している。なお、図８，図１１，図１４，図１７は図２の符号［Ａ］で示す部位を拡大して示す要部拡大断面図である。また、図９，図１０，図１２，図１３，図１５，図１６，図１８，図１９は各状態にある移動切換機構の主要部の一部を切断し拡大して示す要部拡大斜視図である。
【００８８】
上述したように、本実施形態のレンズ鏡筒１における移動切換機構２０は、フォーカスリング１２（第１操作環）の作用状態を切り換える機構ユニットである。即ち、フォーカスリング１２の作用状態は、移動切換機構２０が作用することによって切り換わる。この場合において、移動切換機構２０はフォーカスリング１２を次に示すような四つの状態に切り換えることができる。
【００８９】
（１）フォーカスリング１２が第１移動位置（前方）にあって、当該フォーカスリング１２が第１移動位置から第２移動位置（後方）へと光軸Ｏに沿う方向において移動自在である状態。この状態を移動切換機構の第１状態というものとする。
【００９０】
この第１状態では、フォーカスリング１２は、光軸Ｏ回りの回転が自在であり、かつ第１移動位置から第２移動位置への光軸Ｏに沿う方向の移動が自在である。また、この第１状態では、フォーカスリング１２が前側の第１移動位置にあり、オートフォーカス動作を実行することができる状態であり、かつ撮像装置（不図示）側の設定によってはマニュアルフォーカス動作の実行も可能である。
【００９１】
（２）フォーカスリング１２が第１移動位置（前方）にあって、当該フォーカスリング１２の第１移動位置から第２移動位置（後方）への光軸Ｏに沿う方向の移動が阻止されている状態。この状態を移動切換機構の第２状態というものとする。
【００９２】
この第２状態では、フォーカスリング１２は、光軸Ｏ回りの回転が自在であり、かつ第１移動位置から第２移動位置への光軸Ｏに沿う方向の移動が阻止されている。また、この第２状態では、フォーカスリング１２が前側の第１移動位置にあり、オートフォーカス動作を実行することができる状態であり、かつ撮像装置（不図示）側の設定によってはマニュアルフォーカス動作の実行が可能であるのは、第１状態と同様である。
【００９３】
（３）フォーカスリング１２が第２移動位置（後方）にあって、当該フォーカスリング１２が第２移動位置から第１移動位置（前方）へと光軸Ｏに沿う方向において移動自在である状態。この状態を移動切換機構の第３状態というものとする。
【００９４】
この第３状態では、フォーカスリング１２は、光軸Ｏ回りの回転が自在であり、かつ第２移動位置から第１移動位置への光軸Ｏに沿う方向の移動が自在である。また、この第３状態では、フォーカスリング１２が後側の第２移動位置にあり、撮像装置（不図示）側の設定に関わらずマニュアルフォーカス動作のみが実行可能である。
【００９５】
（４）フォーカスリング１２が第２移動位置（後方）にあって、当該フォーカスリング１２の第２移動位置から第１移動位置（前方）への光軸Ｏに沿う方向の移動が阻止されている状態。この状態を移動切換機構の第４状態というものとする。
【００９６】
この第４状態では、フォーカスリング１２は、光軸Ｏ回りの回転が自在であり、かつ第２移動位置から第１移動位置への光軸Ｏに沿う方向の移動が阻止されている。また、この第４状態では、フォーカスリング１２が後側の第２移動位置にあり、撮像装置（不図示）側の設定に関わらずマニュアルフォーカス動作のみが実行可能であるのは、第３状態と同様である。
【００９７】
上述したように、本レンズ鏡筒１においては、フォーカスリング１２が第１移動位置にあるときには、本レンズ鏡筒１は主にオートフォーカス動作モードで動作し、設定次第でマニュアルフォーカス動作も可能である。一方、フォーカスリング１２が第２移動位置にあるときには、本レンズ鏡筒１が装着される撮像装置（不図示）の設定に関わらずマニュアルフォーカス操作に応じた動作制御が行われる。
【００９８】
ここで、移動切換機構２０における固定リング操作環２２（第２操作環）は、第１回転位置と第２回転位置との間の所定の範囲内で回転移動するように構成されている。この場合において、以下の説明では、固定リング操作環２２が第１回転位置に配置されたときには、フォーカスリング１２の光軸Ｏに沿う方向へのスライド移動が阻止される状態（第２状態又は第４状態）になるものとする。また、固定リング操作環２２が第２回転位置に配置されたときには、フォーカスリング１２の光軸Ｏに沿う方向へのスライド移動が許可される状態（第１状態又は第３状態）になるものとする。
【００９９】
まず、図８〜図１０に示す第１状態においては、フォーカスリング１２が第１の移動位置（前方）に配置された状態であって、かつ移動切換機構２０の固定リング操作環２２は第２回転位置にある。
【０１００】
この第１状態においては、移動切換機構２０の固定リング２１（及びフォーカスリング１２）は、光軸Ｏに沿う方向において図８に示す矢印Ｘ１方向に、フォーカスリング１２の第１移動位置から第２移動位置へのスライド移動が許可されている。
【０１０１】
このとき、固定リング２１と固定リング操作環２２との相対的な位置関係は、次のような配置となっている。即ち、固定リング２１の第１突出部２１ｂは、光軸Ｏに沿う方向において通過可能領域２２ｄに対向する位置に配置されている。同時に、固定リング操作環２２の第２突出部２２ｂは、光軸Ｏに沿う方向において通過可能領域２１ｄに対向する位置に配置されている。
【０１０２】
このような位置関係で、固定リング２１と固定リング操作環２２とが配置されていることから、使用者（ユーザ）が、フォーカスリング１２を第１移動位置から第２移動位置へと光軸Ｏに沿う方向（矢印Ｘ１方向）にスライド移動操作させると、フォーカスリング１２と一体に配設されている固定リング２１の第１突出部２１ｂは通過可能領域２２ｄを通過し、同時に、通過可能領域２１ｄを固定リング操作環２２の第２突出部２２ｂが通過する。これにより、フォーカスリング１２は第２移動位置へと移動する。
【０１０３】
次に、移動切換機構２０が第１状態にあるとき（図８等）に、使用者（ユーザ）が固定リング操作環２２（第２操作環）を回転操作して第１回転位置へと回転させると、移動切換機構２０は図１１〜図１３に示す第２状態になる。
【０１０４】
このとき、固定リング操作環２２の第２突出部２２ｂが固定リング２１（制御環）の第１突出部２１ｂと光軸Ｏに沿う方向において互いに対向する位置にあって当接している。これによって、固定リング２１（制御環）は光軸Ｏに沿う方向（図１１の矢印Ｘ１方向）へ移動することが阻止されている。したがって、固定リング２１が一体に配設されるフォーカスリング１２の第１移動位置から第２移動位置への光軸Ｏに沿う方向のスライド移動も阻止されている。つまり、この第２状態としたとき（固定リング操作環２２が第１回転位置にあるとき）には、フォーカスリング１２は、不用意にスライド移動することが阻止されている。
【０１０５】
なお、移動切換機構２０が第２状態にあるとき（図１１等）、つまり、フォーカスリング１２（第１操作環）が第１移動位置に位置し、かつ固定リング操作環２２（第２操作環）が第１回転位置に回転した場合には、固定リング２１（制御環）に形成された第１突出部２１ｂは、後方側の面が、固定リング操作環２２（第２操作環）に形成された第２（の）突出部２２ｂの第１の面２２ｂａに対向して位置している。
【０１０６】
一方、移動切換機構２０が第２状態にあるとき（図１１等）に、使用者（ユーザ）が固定リング操作環２２（第２操作環）を回転操作して第２回転位置に回転させると、移動切換機構２０は、上述の図８〜図１０に示す第１状態に戻る。
【０１０７】
このとき、固定リング操作環２２の第２突出部２２ｂは、固定リング２１（制御環）の内周面に対応する位置（通過可能領域２１ｄ）を通過して固定リング２１（制御環）が光軸Ｏに沿う方向へ移動するのを許容する。したがって、固定リング２１が一体に配設されるフォーカスリング１２の第１移動位置から第２移動位置への光軸Ｏに沿う方向のスライド移動も許容される。つまり、この第１状態としたとき（固定リング操作環２２が第２回転位置にあるとき）には、フォーカスリング１２は、自在にスライド移動させることが許容されている。
【０１０８】
次に、移動切換機構２０が第１状態にあるとき（図８等）に、使用者（ユーザ）がフォーカスリング１２をスライド操作して第１移動位置から第２移動位置へと移動させると、移動切換機構２０は、図１４〜図１５に示す第３状態になる。
【０１０９】
この第３状態においては、フォーカスリング１２が第２の移動位置（後方）に配置された状態であって、かつ移動切換機構２０の固定リング操作環２２は第２回転位置にある。
【０１１０】
この第３状態においては、移動切換機構２０の固定リング２１（及びフォーカスリング１２）は、図１４に示す矢印Ｘ２方向、即ち光軸Ｏに沿う方向においてフォーカスリング１２の第２移動位置から第１移動位置へのスライド移動が許可されている。
【０１１１】
また、この第３状態においては、フォーカスリング１２は光軸Ｏ周りに所定の範囲内で回転自在であり、マニュアルフォーカス動作のみが実行可能な状態である。
【０１１２】
この第３状態において、固定リング２１と固定リング操作環２２との相対的な位置関係は、第１の状態と略同様に、固定リング２１の第１突出部２１ｂが光軸Ｏに沿う方向において通過可能領域２２ｄに対向する位置に配置されている。同時に、固定リング操作環２２の第２突出部２２ｂが光軸Ｏに沿う方向において通過可能領域２１ｄに対向する位置に配置されている。
【０１１３】
このような位置関係で、固定リング２１と固定リング操作環２２とが配置されていることから、使用者（ユーザ）が、フォーカスリング１２を第２移動位置から第１移動位置へと光軸Ｏに沿う方向（矢印Ｘ２方向）にスライド移動操作させると、フォーカスリング１２と一体に配設されている固定リング２１の第１突出部２１ｂは通過可能領域２２ｄを通過し、同時に、通過可能領域２１ｄを固定リング操作環２２の第２突出部２２ｂが通過する。これにより、フォーカスリング１２は第１移動位置へと移動する。
【０１１４】
次に、移動切換機構２０が第３状態にあるとき（図１４等）に、使用者（ユーザ）が固定リング操作環２２（第２操作環）を回転操作して第１回転位置へと回転させると、移動切換機構２０は図１７〜図１９に示す第４状態になる。
【０１１５】
このとき、固定リング操作環２２の第２突出部２２ｂが固定リング２１（制御環）の第１突出部２１ｂと光軸Ｏに沿う方向において互いに対向する位置にあって当接している。これによって、固定リング２１（制御環）は光軸Ｏに沿う方向（図１７の矢印Ｘ２方向）へ移動することが阻止されている。したがって、固定リング２１が一体に配設されるフォーカスリング１２の第２移動位置から第１移動位置への光軸Ｏに沿う方向のスライド移動も阻止されている。つまり、この第４状態としたとき（固定リング操作環２２が第１回転位置にあるとき）には、フォーカスリング１２は、不用意にスライド移動することが阻止されている。
【０１１６】
なお、移動切換機構２０が第４状態にあるとき（図１７等）、つまり、フォーカスリング１２（第１操作環）が第２移動位置に位置し、かつ固定リング操作環２２（第２操作環）が第１回転位置に回転した場合には、固定リング２１（制御環）に形成された第１突出部２１ｂは、前方側の面が、固定リング操作環２２（第２操作環）に形成された第２突出部２２ｂの第２の面２２ｂｂに対向して位置している。
【０１１７】
一方、移動切換機構２０が第４状態にあるとき（図１７等）に、使用者（ユーザ）が固定リング操作環２２（第２操作環）を回転操作して第２回転位置に回転させると、移動切換機構２０は、上述の図１４〜図１６に示す第３状態に戻る。
【０１１８】
このとき、固定リング操作環２２の第２突出部２２ｂは、固定リング２１（制御環）の内周面に対応する位置（通過可能領域２１ｄ）を通過して固定リング２１（制御環）が光軸Ｏに沿う方向（図１７の矢印Ｘ２方向）へ移動するのを許容する。したがって、固定リング２１が一体に配設されるフォーカスリング１２の第２移動位置から第１移動位置への光軸Ｏに沿う方向のスライド移動も許容される。つまり、この第３状態としたとき（固定リング操作環２２が第２回転位置にあるとき）には、フォーカスリング１２は、自在にスライド移動させることが許容されている。
【０１１９】
以上説明したように上記一実施形態によれば、光軸Ｏに沿って第１移動位置と第２移動位置とに移動可能であると共に光軸Ｏ回りに回転可能に配置され、光軸Ｏ回りの回転操作に応じてレンズ保持枠４２を光軸Ｏ方向に移動させるための駆動力を発生させるフォーカスリング１２（第１操作環）と、フォーカスリング１２（第１操作環）が第１移動位置または第２移動位置のいずれか一方に位置している際に、第１回転位置と第２回転位置とに回転操作可能な固定リング操作環２２（第２操作環）と、フォーカスリング１２（第１操作環）の光軸Ｏ方向の移動に連動してフォーカスリング１２（第１操作環）と共に光軸Ｏ方向に移動すると共に、固定リング操作環２２（第２操作環）が第１回転位置に回転した際には固定リング操作環２２（第２操作環）と協同してフォーカスリング１２（第１操作環）が光軸Ｏ方向に移動するのを阻止し、固定リング操作環２２（第２操作環）が第２回転位置に回転した際にはフォーカスリング１２（第１操作環）が第１移動位置または第２移動位置へ光軸Ｏ方向に移動することを許容する固定リング２１（制御環）とを具備してレンズ鏡筒１を構成している。
【０１２０】
このような構成により、第２操作環である固定リング操作環２２の所定範囲内での回転操作のみで、第１操作環であるフォーカスリング１２の光軸Ｏ方向におけるスライド移動の阻止又は許容を切り換えることができる。その場合に、充分な強度で、フォーカスリング１２の移動を阻止することができる。
【０１２１】
本発明は上述した一実施形態に限定されるものではなく、発明の主旨を逸脱しない範囲内において種々の変形や応用を実施することができることは勿論である。さらに、上記一実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。さらに、異なる実施形態にわたる構成要素を適宜組み合わせてもよい。この発明は、添付のクレームによって限定される以外にはそれの特定の実施態様によって制約されない。
【符号の説明】
【０１２２】
１……レンズ鏡筒
１１……第１外装筒
１２……フォーカスリング
１３……第１固定筒
１４……距離表示リング
１５……摺動環
１６……ＰＩ遮光枠
１６ａ……フォトインタラプタ用スリット
１７……中間環
１８……第１オサエ環
１９……第２オサエ環
２０……移動切換機構
２１……固定リング
２１ａ……固定リング本体部
２１ｂ……第１突出部
２１ｃ……回転規制部
２１ｄ……通過可能領域
２１ｅ……回転規制部
２２……固定リング操作環
２２ａ……回転操作部
２２ｂ……第２突出部
２２ｂａ……第１の面
２２ｂｂ……第２の面
２２ｃ……回転規制部
２２ｄ……通過可能領域
２２ｅ……平面部
２２ｆ……延出部
２３……第２固定筒
２４……第３固定筒
２５……第２外装筒
２６……レンズマウントリング
２７……三脚座
２８……三脚座支持リング
２９……レンズフード
３１，３２，３３，３５，３６，３７……レンズ群
３４……フォーカスレンズ群
４１，４２，４３，４４……レンズ保持枠
【図１】
2020071315.tif 000003
【図２】
2020071315.tif 000004
【図３】
2020071315.tif 000005
【図４】
2020071315.tif 000006
【図５】
2020071315.tif 000007
【図６】
2020071315.tif 000008
【図７】
2020071315.tif 000009
【図８】
2020071315.tif 000010
【図９】
2020071315.tif 000011
【図１０】
2020071315.tif 000012
【図１１】
2020071315.tif 000013
【図１２】
2020071315.tif 000014
【図１３】
2020071315.tif 000015
【図１４】
2020071315.tif 000016
【図１５】
2020071315.tif 000017
【図１６】
2020071315.tif 000018
【図１７】
2020071315.tif 000019
【図１８】
2020071315.tif 000020
【図１９】
2020071315.tif 000021